(57)【特許請求の範囲】
【請求項１】
用紙の折り処理を伴うジョブに対し、前記折り処理の用紙上の折り位置を設定するジョブ設定装置であって、
操作入力を受け付け、表示を行う操作表示部と、
前記折り処理の折り回数ｎに対し、用紙サイズに応じて設定されたｎ箇所の寸法によって前記折り位置を決定する制御部とを備え、
前記制御部は、前記操作表示部によって、折り位置または用紙端部を基準とする、ｍ箇所（但し、ｍ＞ｎ）の寸法の入力を可能にすることを特徴とするジョブ設定装置。
【請求項２】
前記制御部は、前記操作表示部によってｍ箇所のうちｎ箇所の寸法が入力されると、前記ｍ箇所のうち寸法が入力されていない他の箇所の寸法を算出して前記操作表示部に表示することを特徴とする請求項１に記載のジョブ設定装置。
【請求項３】
前記制御部は、設定されたｎ箇所の寸法の１以上を変更不可とすることを特徴とする請求項１または２に記載のジョブ設定装置。
【請求項４】
前記変更不可は、前記操作表示部の操作入力に基づいて行われることを特徴とする請求項３記載のジョブ設定装置。
【請求項５】
前記制御部は、前記変更不可を解除して寸法の入力を可能にすることを特徴とする請求項３または４に記載のジョブ設定装置。
【請求項６】
前記変更不可の解除は、前記操作表示部の操作入力に基づいて行われることを特徴とする請求項５記載のジョブ設定装置。
【請求項７】
前記制御部は、ｎ箇所以上の寸法が設定されている状態で、設定されている寸法のいずれか１つが変更されると、変更された寸法に基づいて、変更不可とされた箇所以外の箇所の寸法を算出して前記操作表示部に表示することを特徴とする請求項３〜６のいずれか１項に記載のジョブ設定装置。
【請求項８】
前記制御部は、前記操作表示部によって入力可能な寸法として、各辺の長さ、折り目によって隣接する２つの辺の長さの差、折り処理によって面の接するようになった２つの辺の長さの差の１以上を含むことを特徴とする請求項１〜７のいずれか１項に記載のジョブ設定装置。
【請求項９】
前記制御部は、前記操作表示部によってｍ箇所のうちｎ箇所の寸法が入力されると、折り位置を決定することを特徴とする請求項１〜８のいずれか１項に記載のジョブ設定装置。
【請求項１０】
前記制御部は、決定された折り位置が異常であると判定される場合、異常の通知を行うことを特徴とする請求項１〜９のいずれか１項に記載のジョブ設定装置。
【請求項１１】
前記制御部によって決定される折り位置に基づいて前記用紙の折り処理を行う折り部を備えることを特徴とする請求項１〜１０のいずれか１項に記載のジョブ設定装置。
【請求項１２】
前記制御部は、決定された前記折り位置情報を外部の後処理装置に送信することを特徴とする請求項１〜１０のいずれか１項に記載のジョブ設定装置。
【発明の詳細な説明】
【技術分野】
【０００１】
この発明は、用紙の折り処理を伴うジョブに対し、前記折り処理の用紙上の折り位置を設定するジョブ設定装置に関する。
【背景技術】
【０００２】
画像を形成して用紙に転写する複写機、プリンタ、ファクシミリ、複合機などでは、画像を転写した用紙に、後処理として折り処理を行う場合がある。折り処理には、中折り、三つ折り、四つ折り、Ｚ折りなどがあり、通常は、画像形成装置や画像形成装置に付設した後処理装置において実行される。
折り処理では、定型的な位置で折る折り処理の他、折り位置をユーザーが設定して実施できるようにした画像形成装置も提案されている。
例えば、特許文献１では、折り処理の設定が可能になっており、折り位置調整を行うことができる（段落００６２他）。
特許文献２では、設定された折り位置での折り処理が可能な後処理装置が提案されており、該後処理装置では折り位置の調整が可能になっている（特許請求の範囲他）。
さらに、特許文献３では、画像を形成したシートを折り処理するシート処理装置が開示されており、該シート折り処理装置では、折り位置の調整が可能になっている（特許請求の範囲他）。
【先行技術文献】
【特許文献】
【０００３】
【特許文献１】特開２００６−２３４７５号公報
【特許文献２】特開２００９−１２０２７１号公報
【特許文献３】特開２００９−１３２４８５号公報
【発明の概要】
【発明が解決しようとする課題】
【０００４】
しかし、従来の装置では、特許文献１〜３に開示されたものも含めて、折り位置の調整は、予め決められた箇所の寸法しか入力することができない。例えば、三つ折りの場合、３辺のうち予め決められた２辺の寸法の入力しかできない。そのため、ユーザーにとって調整後の仕上がり状態の全体像をイメージすることが難しく、特に、決められた入力箇所以外の寸法を調整したいと考えるユーザーにとっては、希望の仕上がり結果になるまで、実際に後処理を行って得られる出力物を見ながら調整値を入力し直したり、希望の寸法を基に決められた入力箇所の寸法を自分で計算したりする必要がある。
【０００５】
本発明は、上記事情を背景としてなされたものであり、ユーザーによる折り位置調整の自由度が高く、調整後の仕上がり状態の全体像をイメージすることも容易となるジョブ設定装置を提供することを目的とする。
【課題を解決するための手段】
【０００６】
すなわち、本発明のジョブ設定装置のうち、第１の本発明は、用紙の折り処理を伴うジョブに対し、前記折り処理の用紙上の折り位置を設定するジョブ設定装置であって、
操作入力を受け付け、表示を行う操作表示部と、
前記折り処理の折り回数ｎに対し、用紙サイズに応じて設定されたｎ箇所の寸法によって前記折り位置を決定する制御部とを備え、
前記制御部は、前記操作表示部によって、折り位置または用紙端部を基準とする、ｍ箇所（但し、ｍ＞ｎ）の寸法の入力を可能にすることを特徴とする。
【０００８】
第２の本発明のジョブ設定装置は、前記第１の本発明において、前記制御部は、前記操作表示部によってｍ箇所のうちｎ箇所の寸法が入力されると、前記ｍ箇所のうち寸法が入力されていない他の箇所の寸法を算出して前記操作表示部に表示することを特徴とする。
【０００９】
第３の本発明のジョブ設定装置は、前記第１または２の本発明おいて、前記制御部は、設定されたｎ箇所の寸法の１以上を変更不可とすることを特徴とする。
【００１０】
第４の本発明のジョブ設定装置は、前記第３の本発明において、前記変更不可は、前記操作表示部の操作入力に基づいて行われることを特徴とする。
【００１１】
第５の本発明のジョブ設定装置は、前記第３または第４の本発明において、前記制御部は、前記変更不可を解除して寸法の入力を可能にすることを特徴とする。
【００１２】
第６の本発明のジョブ設定装置は、前記第５の本発明において、前記変更不可の解除は、前記操作表示部の操作入力に基づいて行われることを特徴とする。
【００１３】
第７の本発明のジョブ設定装置は、前記第３〜第６の本発明において、前記制御部は、ｎ箇所以上の寸法が設定されている状態で、設定されている寸法のいずれか１つが変更されると、変更された寸法に基づいて、変更不可とされた箇所以外の箇所の寸法を算出して前記操作表示部に表示することを特徴とする。
【００１４】
第８の本発明のジョブ設定装置は、前記第１〜第７の本発明のいずれかにおいて、前記制御部は、前記操作表示部によって入力可能な寸法として、各辺の長さ、折り目によって隣接する２つの辺の長さの差、折り処理によって面の接するようになった２つの辺の長さの差の１以上を含むことを特徴とする。
【００１５】
第９の本発明のジョブ設定装置は、前記第１〜第８の本発明のいずれかにおいて、前記制御部は、前記操作表示部によってｍ箇所のうちｎ箇所の寸法が入力されると、折り位置を決定することを特徴とする。
【００１６】
第１０の本発明のジョブ設定装置は、前記第１〜第９の本発明のいずれかにおいて、前記制御部は、決定された折り位置が異常であると判定される場合、異常の通知を行うことを特徴とする。
【００１７】
第１１の本発明のジョブ設定装置は、前記第１〜第１０の本発明のいずれかにおいて、前記制御部によって決定される折り位置に基づいて前記用紙の折り処理を行う折り部を備えることを特徴とする。
【００１８】
第１２の本発明のジョブ設定装置は、前記第１〜第１０の本発明のいずれかにおいて前記制御部は、決定された前記折り位置情報を外部の後処理装置に送信することを特徴とする。
【００１９】
本発明のジョブ設定装置は、画像形成装置で構成されるもの、画像形成装置および後処理装置を含む画像形成システムで構成されるもの、ネットワークで接続された外部装置で構成されるものなどが挙げられるが、名称の如何に拘わらず、上記構成を有するものは本発明の範囲内である。
【００２０】
用紙の折り処理を伴うジョブは、通常は、画像の形成や用紙への当該画像の転写を含んでいる。ただし、本発明としては、用紙の折り処理のみからなるジョブであってもよい。
操作入力を受け付ける操作表示部は、操作入力と表示の両方を行うタッチパネルなどによって構成されているものであってもよく、また、入力と表示とを独立して行うもので構成するものであってもよい。
【００２１】
用紙の折り処理としては、中折り、三つ折り、四つ折り、Ｚ折りなどが挙げられるが、本発明としては特定の折り方法に限定されるものではない。
一般に、折り目がｎ箇所ある（ｎ回の折り処理）折り種別の場合、いずれかｎ箇所の寸法を決めれば全ての折り位置が決定する。すなわち、折り位置は、折り処理の折り回数をｎとすれば、折り位置を基準とする少なくともｎ箇所の寸法によって決定することができ、該決定は制御部により行われる。
【００２２】
本発明では、ｍ箇所（但し、ｍ＞ｎ）の寸法の入力を可能にすることで、ユーザーが折り位置をイメージしやすくなり、操作性が向上する。なお、ｍの値は、ｎよりも大きい整数であればよく、本発明としては特定のものに限定されるものではない。また、折り回数ｎによってｍの値が異なるものであってもよい。ｍ箇所の寸法の入力が可能になっている場合、ユーザーは任意のｎ箇所を入力すれば、折り位置が決定される。なお、ｍ箇所の寸法の基準としては、折り位置や用紙端部を用いることができる。ただし、本発明としては、これに限定されないものであり、用紙の中央部や、用紙端部から○○ｍｍの位置など適宜選定することができる。
【００２３】
ｍ箇所の寸法を与える位置関係は、予め設定されているものであってもよく、また、ユーザーが設定できるものであってもよい。さらに、予め保持されている位置関係のデータからユーザーが選択してｍ箇所の寸法を与える位置関係を設定するものであってもよい。  ｍ箇所の寸法を与える位置関係は、本発明としては特定のものに限定されず、そのうちの少なくともｎ箇所の寸法によって折り位置を導き出せるものであればよい。
ｍ箇所の寸法を与えるものとしては、各辺の長さ、折り目によって隣接する２つの辺の長さの差、折り処理によって面の接するようになった２つの辺の長さの差などが例示される。
【００２４】
なお、ｎ箇所の寸法が入力されて折り位置が定まると、ｍ箇所のうち、前記ｎ箇所以外の寸法が入力されていない他の箇所の寸法を制御部によって算出し、操作表示部に表示するようにしてもよい。これによりユーザーは折り位置をイメージし易くなる。
また、設定値が変更されると、その他の箇所の寸法を制御部で自動的に算出して操作表示部に表示するようにしてもよい。
【００２５】
また、ｎ箇所のうち一部では、寸法の設定値は固定して変更不可にしてもよい。この際に、固定された寸法との組み合わせによって折り位置を決定できる寸法のみを入力可能にしてもよい。固定される寸法の設定値は、ユーザーによって入力されたものであってもよく、また、予め初期値として設定されているものであってもよい。また、固定された設定値は、固定を解除して変更可能なものとしてもよい。
【００２６】
制御部では、折り位置の決定に必要なｎ箇所の寸法が得られると、直ちに折り位置を決定してもよく、また、ユーザーの操作に従って決定するようにしてもよい。
また、制御部では、設定されたｎ箇所以上の寸法によって折り位置を決定する際に、決定された折り位置が異常であると判定される場合には、異常の通知を操作表示部などに行うことができる。また、ジョブ設定装置がネットワークに接続されている場合、ネットワークを通して他の装置に異常の通知を行ってもよい。
【００２７】
折り位置が確定すると、ジョブ設定装置に折り部を備える場合、当該ジョブ設定装置で折り処理を行うことができる。また、折り部がジョブ設定装置の外部の後処理装置に備えられている場合、前記制御部は、決定された前記折り位置情報を外部の後処理装置に送信するようにしてもよい。
【発明の効果】
【００２８】
以上説明したように本発明によれば、折り位置の決定に必要な箇所以上の箇所について寸法の入力を行うことができ、ユーザーが望む箇所を選択して寸法入力でき、折り位置のイメージをし易くなり、ユーザーが希望する仕上がり結果を簡単に得ることができる効果がある。
【図面の簡単な説明】
【００２９】
【図１】本発明の一実施形態の画像形成システムを示す概略図である。
【図２】同じく、制御ブロック図である。
【図３】同じく、内三つ折りに際し、設定されたｍ箇所の寸法位置を示す図である。
【図４】同じく、外三つ折りに際し、設定されたｍ箇所の寸法位置を示す図である。
【図５】同じく、Ｚ折りに際し、設定されたｍ箇所の寸法位置を示す図である。
【図６】同じく、ダブルパラレル（四つ折り）の折状態を示す斜視図（ａ）、および設定されたｍ箇所の寸法位置を示す図（ｂ）である。
【図７】同じく、観音折りに際し、設定されたｍ箇所の寸法位置を示す図である。
【図８】同じく、中折りに際し、設定されたｍ箇所の寸法位置を示す図である。
【図９】同じく、折り処理設定画面を示す図である。
【図１０】同じく、位置調整画面で各寸法値が入力された状態を示す図である。
【図１１】同じく、位置調整画面で各寸法値がクリアされた状態を示す図である。
【図１２】同じく、位置調整画面で各寸法値がクリアされた状態で１箇所の寸法値が入力された状態を示す図である。
【図１３】同じく、位置調整画面で２箇所の寸法値が入力されて折り位置が決定され、その他の箇所の寸法値が算出されて表示された状態を示す図である。
【図１４】同じく、位置調整画面で２箇所の寸法値が入力され、その他の箇所の寸法値が算出されて表示された後、１箇所の寸法値が固定された状態を示す図である。
【図１５】同じく、位置調整画面で２箇所の寸法値が入力されて折り位置が決定されされた後、１箇所の寸法値が入力変更された状態を示す図である。
【図１６】同じく、位置調整画面で２箇所の寸法値が入力されて折り位置が決定されされた後、１箇所の寸法値が入力変更されて異常表示がされた状態を示す図である。
【図１７】同じく、折り位置を設定する手順を示すフローチャートである。
【発明を実施するための形態】
【００３０】
以下に、本発明の一実施形態について添付図面に基づいて説明する。
この実施形態の画像形成システム１は、図１に示すように、画像形成装置２と後処理装置３とを備える。この実施形態では、画像形成装置２がジョブ設定装置としての機能を有している。
【００３１】
画像形成装置２は、給紙トレイを装置下部に備えるシート供給部２０を有しており、シート供給部２０は用紙を画像形成装置２内で搬送し、画像を印刷した用紙を画像形成装置外に排紙する。
また、画像形成装置２は、シート供給部２０で給紙、搬送される用紙に印刷を行う画像形成部２１を備えている。画像形成部２１は、図示しない感光体と、転写部、帯電部、露光部、現像部、定着器等を備えており、画像を形成してその画像を用紙に転写し、転写された用紙上の画像を定着させる。
また、画像形成装置２の上部側には、原稿を自動的に給送する自動原稿給送装置（ＡＤＦ）２３が備えられており、自動原稿給送装置（ＡＤＦ）２３で送られる原稿の画像が図示しないスキャナー部で読み込まれて画像形成に用いられる。
さらに画像形成装置２の上部には、ユーザーの操作入力を受け、また情報を表示することができる操作表示部２４を備えている。操作表示部２４は、操作部と表示部とが一体になったタッチパネルなどによって構成することができ、また、操作部と表示部とを別体に構成してもよい。
【００３２】
後処理装置３は、画像形成装置２で印刷されて出力された用紙に折り処理をする折り部３０を有しており、折り部３０で折られた用紙または折り部３０での折処理がなされていない用紙を排紙する第１排出部３１と第２排出部３２とを有している。
【００３３】
次に、画像形成装置システム１の機能を図２の制御ブロック図に基づいて説明する。
画像形成装置２は、画像形成装置２全体を制御するＣＰＵ２５を有しており、該ＣＰＵ２５にＲＯＭ２６、ＲＡＭ２７が接続されている。ＣＰＵ２５は、本発明の制御部に相当する。
ＲＯＭ２６には、プログラムや折り位置を基準とする寸法を入力する際の複数の箇所情報、前記寸法の初期設定値、固定される箇所の情報、用紙のサイズ、プロセス制御パラメータ等の機械設定情報などが不揮発に格納されている。また、ＲＡＭ２７は、作業エリアやデータの一時格納に用いられ、折り処理のために設定される各箇所の寸法値を記憶する記憶部として機能する。
【００３４】
また、ＣＰＵ２５には、シート供給部２０が制御可能に接続されており、シート供給部２０による用紙の給紙および搬送がＣＰＵ２５で制御される。
ＣＰＵ２５にはさらに画像形成部２１が制御可能に接続されており、画像形成部２１における画像の形成、用紙への転写、用紙上の画像の定着が制御される。
ＣＰＵ２５には、さらに通信部２８が制御可能に接続されており、通信部２８を介して後処理装置３との通信や図示しないネットワークなどとの通信が可能になっている。
【００３５】
後処理装置３は、後処理装置３全体を制御するＣＰＵ３５を有しており、該ＣＰＵ３５にＲＯＭ３６、ＲＡＭ３７が接続されている。
ＲＯＭ３６には、折り処理を行うためのプロセス制御パラメータ等の機械設定情報などが不揮発に格納されている。また、ＲＡＭ３７は、作業エリアやデータの一時格納に用いられる。
また、ＣＰＵ３５には折り部３０が制御可能に接続されており、ＣＰＵ３５の制御によって折り部３０が動作して所定の折り位置で用紙に折り処理がなされる。
さらにＣＰＵ３５には、第１排出部３１と第２排出部３２とが制御可能に接続されており、用紙の排紙処理がなされる。
【００３６】
次に、折り処理における各箇所の寸法の位置関係について説明する。
前記したように、一般に折り目がｎ箇所ある折り種別（ｎ回の折り処理）の場合、いずれかｎ箇所の寸法を決めれば全ての折り位置が決定する。従来は、入力可能なｎ箇所の寸法が予め固定されている。本発明では、ｍ＞ｎであるようなｍ箇所の寸法を入力可能とし、そのｍ箇所の中からユーザーが入力したｎ箇所の寸法を自由に選択して入力できるようにする。
【００３７】
例えば、図３のような内三つ折りの場合、ａ、ｂ、ｃ、ｄ、ｅの５つの寸法のうち、いずれか２箇所の入力ですべての折り位置（図では折り目１、折り目２）が決定する。この例では、図の折り状態で搬送方向に搬送される。この例では、折り目１を基準とする第１の用紙端部からの寸法ａ、折り目２と折り目１との間の寸法ｂ、折り目２と第２の用紙端部との間の寸法ｃ、折った状態での折り目２と第１の用紙端部との寸法ｄ、折った状態での折り目１と第２の用紙端部との寸法ｅの入力が可能になっている。これらの寸法のうち、折り回数に相当する２箇所の寸法を設定することで、内三つ折りでの折り目の位置を決定することができる。
従来は、入力可能な２箇所の寸法位置が予め固定されており（例えばｄとｅ）、これらの寸法の変更をできるものは知られている。本発明では、ａ、ｂ、ｃ、ｄ、ｅの５箇所の寸法を入力可能とし、その５箇所の中からユーザーが入力した２箇所を入力した時点で残りの３箇所の寸法も決定（算出）される。算出された残りの３箇所の寸法は操作表示部に表示するのが望ましい。
【００３８】
次に、図４は、外三つ折りの例を示すものである。
この折り種別では、折り目１で第１の用紙端部側を折り、折り目１から第２の用紙端部側に離れた位置で用紙を外側に折って折り目２を設けるものである。折り目２が搬送方向側に位置する。この例では、ａ、ｂ、ｃ、ｄ、ｅの５つの寸法の設定が可能になっている。すなわち、第１の用紙端部と折り目１との間の寸法ａ、第１の折り目と第２の折り目との間の寸法ｂ、第２の用紙端部と折り目２との間の寸法ｃ、折った状態での第１の用紙端部と第２の折り目との間の寸法ｄ、折った状態での第２の用紙端部と折り目１との間の寸法ｅの入力が可能になっている。この例でも、いずれか２箇所の入力ですべての折り位置（折り目１、２）を決定することができる。
【００３９】
図５は、Ｚ折りの例を示すものである。
この折り種別では、第１の用紙端部が搬送方向側に向き、第１の用紙端部の内側で折り目１で用紙を搬送方向側に折り、第２の用紙端部側で用紙を搬送方向後方に向けて折るものであり、折り目２が搬送方向側に位置している。この例ではａ、ｂ、ｃ、ｄ、ｅの５箇所の寸法を入力可能としている。すなわち、第１の用紙端部と折り目１との間の寸法ａ、折り目１と折り目２との間の寸法ｂ、折り目２と第２の用紙端部との間の寸法ｃ、折った状態での第１の用紙端部と折り目２との間の寸法ｄ、折り目１と第２の用紙端部との間の寸法ｅの入力が可能になっており、このうち２箇所の寸法の設定によって折り位置（折り目１．２）を決定することができる。
【００４０】
図６は、ダブルパラレル（４つ折り）の例を示すものである。
この折り種別は、図６（ａ）に斜視図を示すように、用紙を中折するように折り目１で折り、折られた用紙を重ねたままで折り目２、３で同一方向に折るものである。折り目２、３は同位置にあるが、全体で３つの折り目を有している。この例では、折られた状態で内側に位置する第１の用紙端部と折り目２との間の寸法ａ、折り目１と折り目２、３との間の寸法ｂ、折られた状態で外側に位置する第２の用紙端部と折り目２、３との間の寸法ｃ、折られた状態での第２の用紙端部と折り目１との間の寸法ｄ、折られた状態の第１の用紙端部と第２の用紙端部との間の寸法ｅの入力が可能になっている。
この例では、３箇所の寸法を入力することで折り位置（折り目１、２、３）を決定することができる。
【００４１】
図７は、観音折りを示すものである。
この折り種別では、用紙の両端部側でそれぞれ内側に折り込み（折り目１、２）、さらに折り目１、２の間で、前記折り込みによる用紙端部が内側になるように折り目３を設けており、３つの折り位置を有している。
この折り種別では、ａ、ｂ、ｃ、ｄ、ｅ、ｆ、ｇの寸法入力が可能になっている。すなわち、第１の用紙端部と折り目１との間の寸法ａ、折り目１と折り目３との間の寸法ｂ、折り目３と折り目２との間の寸法ｃ、第２の用紙端部と折り目２との間の寸法ｄ、折った状態での折り目１と折り目２との間の寸法ｅ、折った状態での第１の用紙端部と折り目３との間の寸法ｆ、折った状態での折り目３と第２の用紙端部との間の寸法ｇの入力が可能になっている。この例では、３箇所の寸法を設定することで全ての折り位置を決定することができる。
【００４２】
図８は、中折りの例を示すものである。
この折り種別では、用紙を二つに折る（折り回数１）ものであり（折り目１）、１つの折り位置を有している。この折り種別では、ａ、ｂ、ｃの寸法入力が可能になっている。すなわち、第１の用紙端部と折り目１との間の寸法ａ、折り目１と第２の用紙端部との間の寸法ｂ、折った状態での第１の用紙端部と第２の用紙端部との間の寸法ｃの入力が可能になっている。この例では、１箇所の寸法を設定すると折り位置を決定することができる。
【００４３】
次に、用紙に折り処理をする際の設定画面を図９に基づいて説明する
図９は、操作表示部２４に表示される折り処理設定画面１００を示すものである。該折り処理設定画面１００では、折り種別を選択する折り種別選択釦が設けられている。具体的には、Ｚ折り位置調整釦１１０、外三つ折り位置調整釦１１１、内三つ折り位置調整釦１１２、ダブルパラレル折り位置調整釦１１３、観音折り位置調整釦１１４、中折り位置調整釦１１５が、ユーザーによって押釦できるように表示されている。また、戻る釦１１６が押釦可能に表示されている。
【００４４】
折り処理設定画面１００で上記の位置調整釦を押釦することで、押釦された種別の折り種別が選択された状態になり、戻る釦１１６を押釦することで、折り種別および設定されている折り位置が決定される。なお、折り位置の設定入力が行われていない場合、予め設定されている推奨値が設定される。
折り種別が決定されると、操作表示部２４に折り位置調整画面１２０が表示され、設定されたｍ箇所のうち、任意の箇所の寸法入力が可能になる。なお、折り種別に応じて入力可能なｍ箇所の情報は、ＲＯＭ２６に格納されており、選択された折り種別に応じてＣＰＵ２５によって操作表示部２４に操作可能に表示される。
【００４５】
図１０は、内三つ折りにおける位置調整画面１２０を示すものである。
位置調整画面１２０には、用紙の折り状態をイメージさせる折り状態表示部１２１を有し、折り状態表示部１２１に、ｍ箇所（この例では５箇所）の寸法の入力および表示がそれぞれ可能になった寸法部１２１ａ、１２１ｂ、１２１ｃ、１２１ｄ、１２１ｅが表示されている。各寸法部１２１ａ、１２１ｂ、１２１ｃ、１２１ｄ、１２１ｅは、それぞれで設定された寸法が表示されている。さらに各寸法部１２１ａ、１２１ｂ、１２１ｃ、１２１ｄ、１２１ｅは押釦可能であり、入力が禁止されていない状態で押釦されると、テンキー１２５を通して寸法の入力が可能になり、入力が受け付けられた寸法が各寸法部１２１ａ、１２１ｂ、１２１ｃ、１２１ｄ、１２１ｅに表示される。
【００４６】
なお、位置調整画面１２０では、各寸法部１２１ａ、１２１ｂ、１２１ｃ、１２１ｄ、１２１ｅに対応して、各寸法部１２１ａ、１２１ｂ、１２１ｃ、１２１ｄ、１２１ｅの近傍にＦＩＸ設定部１２２ａ、１２２ｂ、１２２ｃ、１２２ｄ、１２２ｅが操作可能に表示されている。
ＦＩＸ設定部１２２ａ、１２２ｂ、１２２ｃ、１２２ｄ、１２２ｅは押釦を行う毎に、入力値の固定、固定解除が交互に選択される。固定と、固定解除に応じて、設定部欄は表示が切り替わる。
各ＦＩＸ設定部１２２ａ、１２２ｂ、１２２ｃ、１２２ｄ、１２２ｅが固定状態になると、対応する各寸法部１２１ａ、１２１ｂ、１２１ｃ、１２１ｄ、１２１ｅでの寸法入力が不可になる。各ＦＩＸ設定部１２２ａ、１２２ｂ、１２２ｃ、１２２ｄ、１２２ｅが固定解除状態になると、対応する各寸法部１２１ａ、１２１ｂ、１２１ｃ、１２１ｄ、１２１ｅでの寸法入力が可能になる。
【００４７】
図では、全ての寸法部１２１ａ、１２１ｂ、１２１ｃ、１２１ｄ、１２１ｅに対し、全てのＦＩＸ設定部１２２ａ、１２２ｂ、１２２ｃ、１２２ｄ、１２２ｅが固定解除状態になっている。なお、各寸法部１２１ａ、１２１ｂ、１２１ｃ、１２１ｄ、１２１ｅの寸法値は、ユーザーによって入力されたもの、ＣＰＵ２５で算出されたもの、推奨値として予め設定されているものが挙げられる。予め設定されている推奨値は、ユーザーが変更して登録できるようにしてもよい。
【００４８】
また、位置調整画面１２０には、戻る釦１２３とクリア釦１２４が押釦可能に表示されている。戻る釦１２３は、入力された寸法によって折り位置が決定した状態で折り処理設定画面１００に復帰することができ、折り処理設定画面１００で戻る釦１１７を押釦すると、折り処理の種別、折り位置が確定して折り処理の実行が可能になる。
また、クリア釦１２４は、各寸法に対し設定されている寸法値をクリアするものである。これにより各操作表示部１２１ａ、１２１ｂ、１２１ｃ、１２１ｄ、１２１ｅに対し、テンキー１２５を通した入力が可能になる。
【００４９】
図１１は、クリア釦１２４の押釦によって各寸法部１２１ａ、１２１ｂ、１２１ｃ、１２１ｄ、１２１ｅの寸法値がクリアされて空欄になった状態を示している。この状態で戻る釦１２３を押釦しても、折り位置に必要な２箇所以上の寸法の設定がなされていないため、戻る釦１２３の押釦は無効になり、折り処理設定画面１００に戻ることは不可になる。なお、設定自体を取りやめる場合、例えば位置調整画面１２０に設けたキャンセル釦１２６などによって設定操作を終了することができる。
【００５０】
図１２は、クリア釦１２４が押釦された後の状態で、寸法値を入力する状態の位置調整画面１２０を示すものである。
寸法値がクリアされた各寸法部１２１ａ、１２１ｂ、１２１ｃ、１２１ｄ、１２１ｅのいずれかを押釦（図では寸法部１２１ｂ）すると、当該寸法部に対し、テンキー１２５を通して寸法値を入力することができる。なお、この状態で戻る釦１２３を押釦しても、図１１と同様に折り位置を決定する２箇所の寸法設定がなされていないため、戻る釦１２３に対する押釦は無効になる。
【００５１】
図１３は、寸法部１２１ｂへの寸法値の入力後、寸法部１２１ｅにテンキー１２５を通して寸法値が入力された状態を示している。この例では、２箇所の寸法の設定によって折り位置が決定され、その他の寸法ａ、ｃ、ｄが算出され、これに対応する寸法部１２１ａ、１２１ｃ、１２１ｄに、算出された寸法値が表示されている。
この例では、折り位置が決定されているため、戻る釦１２３を押釦すると、折り処理設定画面１００に復帰することができる。
【００５２】
図１４は、折り位置が決定した後、寸法値を変更できないように固定する際の位置調整画面１２０を示すものである。
例えば、寸法部１２１ｂでの寸法値の変更を不可にする場合、ＦＩＸ設定部１２２ｂを押釦し、固定状態にしてこれに対応する寸法部１２１ｂでの寸法値入力を不可にする。固定状態が設定されたＦＩＸ設定釦１２２ｂは、ハイライト表示がされている。
【００５３】
図１５は、固定状態の寸法を基準として、その他の寸法部について寸法値を変更入力する場合の位置調整画面１２０を示すものである。固定されている箇所（図では寸法部１２１ｂ）以外の所望の寸法部１２１ａ、１２１ｃ、１２１ｄ、１２１ｅのいずれかを押釦（図では寸法部１２１ｄ）すると、当該寸法部に対し、テンキー１２５を通して寸法値を入力することができる。すると、固定された寸法と、変更された寸法とに基づいて折り位置が決定し、上記二つの寸法部１２１ｂ、１２１ｄを除いた他の寸法部１２１ａ、１２１ｃ、１２１ｅについてＣＰＵ２５によって寸法値を自動的に算出し、各寸法部１２１ａ、１２１ｃ、１２１ｅに、算出された寸法値を表示する。変更を要する場合には、以下で説明する操作を行い、変更を要しない場合には、戻る釦１２３を押釦して折り処理設定画面１００に復帰する。
【００５４】
図１６は、折り位置の決定に必要な２箇所の寸法値を入力した後、さらに他の箇所の寸法値を入力変更した場合の位置調整画面１２０を示すものである。
この画面では、寸法部１２１ｂの寸法値が固定され、寸法部１２１ｄの寸法値を入力した後、寸法部１２１ｅの寸法値を入力変更する画面である。寸法部１２１ｄには予めＣＰＵ２５によって寸法値が算出されて表示されており、寸法値は固定されていない。
【００５５】
寸法部１２１ｅでは、押釦することでテンキー１２５を通した寸法値の入力が可能になる。寸法部１２１ｅで寸法値が入力されると、ＣＰＵ２５では、固定されている寸法部１２１ｂの寸法値と、入力された寸法部１２１ｅの寸法値とに基づいて、他の寸法部１２１ａ、１２１ｃ、１２１ｄの寸法値が算出されて各寸法部１２１ａ、１２１ｃ、１２１ｄに寸法値が表示される。
ただし、この際の設定値では折り位置を正常に決定できない場合、異常値を示す寸法部において、エラー表示をする。この例では、寸法部１２１ｄにおける算出値が負の値になっており、これに対応するＦＩＸ設定部１２２ｄにエラー表示として「ＮＧ」を表示する。この状態で戻る釦１２３を押釦しても、エラーが発生しているため、押釦は無効となり、折り処理設定画面１００に復帰することは不可になる。
エラーを回避するためには、固定されている寸法部１２１ｂ以外の寸法部１２１ａ、１２１ｃ、１２１ｄで適正範囲の寸法値を入力することでエラーを回避することができる。
【００５６】
次に、折り処理設定における制御手順を図１７のフローチャートに基づいて説明する。なお、この制御手順は、ＣＰＵ２５で実行される。
先ず、操作表示部での入力があるか否かの判定がなされる（ステップｓ１）。図中のパネルは操作表示部２４を示すものである。
入力があるまで待機し（ステップｓ１、ＮＯ、手順（１）へ）、入力があると（ステップｓ１、ＹＥＳ）、各寸法部でのデータが入力されているか否かの判定がなされる（ステップｓ２）。寸法データの入力がされていれば（ステップｓ２、ＹＥＳ）、折り位置の決定に必要なｎ箇所の寸法が入力済みであるか否かの判定がなされる（ステップｓ３）。ｎ箇所の入力が済んでいなければ、（１）の手順に戻って入力を待つ（ステップｓ１へ）。ｎ箇所の入力が済んでいれば（ステップｓ３、ＹＥＳ）、入力箇所以外の箇所の寸法値を算出し、操作表示部２４に表示する（ステップｓ４）。
【００５７】
次いで、算出した寸法値に基づいて、計算結果が正常であるか否かの判定がなされる（ステップｓ５）。計算結果が正常でなければ（ステップｓ５、ＮＯ）、異常であるため操作表示部２４にエラー表示をし、手順（１）に戻る。計算結果が正常であれば（ステップｓ５、ＹＥＳ）、手順を終了する。
【００５８】
ステップｓ２で寸法値のデータが入力されていなければ、いずれかのＦＩＸ設定釦が選択されたか否かの判定なされる（ステップｓ７）。いずれかのＦＩＸ設定釦が選択された際に（ステップｓ７、ＹＥＳ）、そのＦＩＸ設定釦が、既に選択済みであるか否かの判定がなされる（ステップｓ８）。そのＦＩＸ設定釦が既に選択済みで、寸法値が固定状態にあれば（ステップｓ８、ＹＥＳ）、選択した箇所の固定状態を解除し寸法値の入力を可能にし（ステップｓ９）、（１）の手順に戻る。ＦＩＸ設定釦が選択されていて既に選択済みではない場合（ステップｓ８、ＮＯ）、ＦＩＸ設定釦に対応する箇所の寸法データの入力を受け付け不可とする固定状態にし（ステップｓ１０）、（１）の手順に戻る。
【００５９】
ステップｓ７で、いずれのＦＩＸ設定釦も選択されない場合、クリア釦の選択がなされているか否かの判定がなされる（ステップｓ１１）。クリア釦の選択がなされていれば（ステップｓ１１、ＹＥＳ）、各寸法部の寸法値を全てクリアし、（１）の手順に復帰する。
ステップｓ１１でクリア釦の選択がなされていない場合（ステップｓ１１、ＮＯ）、戻る釦が選択されたか否かの判定がなされる（ステップｓ１３）。戻る釦が選択されていなければ（ステップｓ１３、ＮＯ）、（１）の手順に戻る。戻る釦が選択されている場合（ステップｓ１３、ＹＥＳ）、ｎ箇所の寸法値が入力済みであるか否かの判定がなされる（ステップｓ１４）。ｎ箇所の寸法値が入力済みでない場合（ステップｓ１４、ＮＯ）、（１）の手順に戻る。ｎ箇所の寸法値が入力済みの場合（ステップｓ１４、ＹＥＳ）、エラー表示があるか否かの判定がなされる（ステップｓ１５）。エラー表示があれば（ステップ１５、ＮＯ）、（１）の手順に戻る。エラー表示がなければ（ステップｓ１５、ＹＥＳ）、処理を終了する。
【００６０】
上記により折り位置が決定されて、折り処理の選択がなされると、折り処理の種別と折り位置の情報が画像形成装置２から通信部２８を通して後処理装置３に送信される。後処理装置３では、通信部３８を通して画像形成装置２からの送信データを受信し、ＣＰＵ３５の制御によって、画像形成装置２から送信された折り処理の種別と折り位置の情報に基づいて折り部３０で必要な折り処理がなされる。
なお、上記実施形態では、折り部が後処理装置に備えられているものについて説明したが、折り部が画像形成装置に備えられているものであってもよい。
【符号の説明】
【００６１】
１    画像形成システム
２    画像形成装置
３    後処理装置
２１    画像形成部
２４    操作表示部
２５    ＣＰＵ
２６    ＲＯＭ
２７    ＲＡＭ
２８    通信部
３０    折り部
３５    ＣＰＵ
【図１】
0005725292.tif 000002
【図２】
0005725292.tif 000003
【図３】
0005725292.tif 000004
【図４】
0005725292.tif 000005
【図５】
0005725292.tif 000006
【図６】
0005725292.tif 000007
【図７】
0005725292.tif 000008
【図８】
0005725292.tif 000009
【図９】
0005725292.tif 000010
【図１０】
0005725292.tif 000011
【図１１】
0005725292.tif 000012
【図１２】
0005725292.tif 000013
【図１３】
0005725292.tif 000014
【図１４】
0005725292.tif 000015
【図１５】
0005725292.tif 000016
【図１６】
0005725292.tif 000017
【図１７】
0005725292.tif 000018